(57)【要約】  ユーザ端末は、当該ユーザ端末がUplink Synchronization Channel（UL-SCH）で送信されるメッセージでのユーザデータの送信を制限されているか認可されているかを示すパラメータを、アクセスネットワークノードから受信するよう構成された受信手段と、前記パラメータに基づいて、前記メッセージでのユーザデータの送信が制限されているかまたは認可されているかを判断する命令を処理するよう構成されたハードウェアプロセッサとを備える。
2021503779.tif 000002
【特許請求の範囲】
【請求項１】
ユーザ端末であって、
当該ユーザ端末がUplink Synchronization Channel（UL-SCH）で送信されるメッセージでのユーザデータの送信を制限されているか認可されているかを示すパラメータを、アクセスネットワークノードから受信する手段と、
前記パラメータに基づいて、前記メッセージでの前記ユーザデータの前記送信が制限されているか、または、認可されているかを判断する手段と、
を備えるユーザ端末。
【請求項２】
前記メッセージでの前記ユーザデータの前記送信の能力の情報を、前記アクセスネットワークノードを介してコアネットワークノードへ送信する手段をさらに備え、
前記受信する手段はさらに、前記メッセージでの前記ユーザデータの前記送信の前記能力の前記情報を送信した後で前記パラメータを受信する、請求項１に記載のユーザ端末。
【請求項３】
前記メッセージでの前記ユーザデータの前記送信を制限または認可することをサポートする能力の情報を、前記アクセスネットワークノードを介してコアネットワークノードへ送信する手段をさらに備え、
前記受信する手段はさらに、前記メッセージでの前記ユーザデータの前記送信を制限または認可することをサポートする前記能力の前記情報に基づいて前記パラメータを受信する、請求項１に記載のユーザ端末。
【請求項４】
前記ユーザ端末が前記メッセージでの前記ユーザデータの前記送信を制限されているかまたは認可されているかを示す前記パラメータは、前記コアネットワークノードによって更新されるユーザ端末コンテキストに基づいている、請求項３に記載のユーザ端末。
【請求項５】
前記ユーザ端末が前記メッセージでの前記ユーザデータの前記送信を制限されているかまたは認可されているかを示す前記パラメータは、ユーザ端末コンテキストが確立されるたびに示す、請求項１乃至３のいずれか一項に記載のユーザ端末。
【請求項６】
前記ユーザ端末が前記メッセージでの前記ユーザデータの前記送信を制限されているかまたは認可されているかを示す前記パラメータは、前記アクセスネットワークノードからブロードキャストされ、
前記受信する手段はさらに、前記メッセージでの前記ユーザデータの前記送信用の許可されたパケットサイズの情報を受信し、
前記判断する手段はさらに、前記メッセージでの前記ユーザデータの前記送信用の前記許可されたパケットサイズの前記情報に基づいて、前記ユーザ端末が前記ユーザデータを送信するかどうかを判断する、請求項１に記載のユーザ端末。
【請求項７】
前記ユーザ端末が前記メッセージでの前記ユーザデータの前記送信を制限されているかまたは認可されているかを示す前記パラメータは、前記アクセスネットワークノードからブロードキャストされ、
前記ユーザ端末が前記メッセージでの前記ユーザデータの前記送信を制限されているかまたは認可されているかを示す前記パラメータは、前記送信が禁止されていることを示す、請求項１に記載のユーザ端末。
【請求項８】
前記受信する手段はさらに、前記ユーザ端末が前記メッセージでの前記ユーザデータの前記送信を制限されているかまたは認可されているかを示す前記パラメータと、前記ユーザデータの前記送信用のバックオフタイマの値とを受信し、
前記判断する手段はさらに、前記ユーザ端末が前記バックオフタイマの前記値に基づいて前記メッセージで前記ユーザデータを送信するかどうかを判断する、請求項１乃至７のいずれか一項に記載のユーザ端末。
【請求項９】
前記ユーザ端末が他のRadio Access Technology（RAT）に移動するまで、または前記メッセージでの前記ユーザデータの前記送信の制限が前記コアネットワークノードによって解除されるまで、前記メッセージでの前記ユーザデータの前記送信を試行しない手段をさらに備える、請求項８に記載のユーザ端末。
【請求項１０】
前記受信する手段はさらに、前記コアネットワークノードから「Early Data Transmission（EDT）は一時的に利用不可」という値を受信し、
前記ユーザ端末は、当該ユーザ端末のCellular Internet of Things（CIoT）制御プレーン用のバックオフタイマが満了するまで、前記メッセージでの前記ユーザデータの前記送信を試行しない手段をさらに備える、請求項１乃至７のいずれか一項に記載のユーザ端末。
【請求項１１】
コアネットワークノードであって、
ユーザ端末がUplink Synchronization Channel（UL-SCH）で送信されるメッセージでのユーザデータの送信を制限されているかまたは認可されているかを判断する手段を備えるコアネットワークノード。
【請求項１２】
前記ユーザ端末が前記メッセージでの前記ユーザデータの前記送信を制限されているかまたは認可されているかを示すパラメータを、アクセスネットワークノードを介して当該ユーザ端末へ送信する手段をさらに備える、請求項１１に記載のコアネットワークノード。
【請求項１３】
前記メッセージでの前記ユーザデータの前記送信の能力の情報を、前記アクセスネットワークノードを介して前記ユーザ端末から受信する手段をさらに備え、
前記送信する手段はさらに、前記メッセージでの前記ユーザデータの前記送信の前記能力の前記情報に基づいて前記パラメータを送信する、請求項１２に記載のコアネットワークノード。
【請求項１４】
前記メッセージでの前記ユーザデータの前記送信を制限または認可することをサポートする能力の情報を、前記アクセスネットワークノードを介して前記ユーザ端末から受信する手段をさらに備え、
前記送信する手段はさらに、前記メッセージでの前記ユーザデータの前記送信を制限または認可することをサポートする前記能力の前記情報に基づいて前記パラメータを送信する、請求項１２に記載のコアネットワークノード。
【請求項１５】
前記送信する手段はさらに、前記ユーザ端末に対応するサブスクリプション情報の要求を、サブスクリプションデータ用のサーバへ送信し、
前記受信する手段はさらに、前記ユーザ端末が前記メッセージでの前記ユーザデータの前記送信を制限されているかまたは認可されているかを示す前記パラメータを受信する、
請求項１４に記載のコアネットワークノード。
【請求項１６】
前記受信する手段はさらに、サブスクリプションデータ用のサーバからInsert Subscriber Data Requestを受信し、
前記コアネットワークノードは、前記ユーザ端末が前記メッセージでの前記ユーザデータの前記送信を制限されているかまたは認可されているかを示す前記パラメータを更新する手段をさらに備え、
前記送信する手段はさらに、前記更新されたパラメータを前記ユーザ端末へ送信する、請求項１２乃至１５のいずれか一項に記載のコアネットワークノード。
【請求項１７】
ユーザプレーンデータのネットワークノードから、前記メッセージでの前記ユーザデータの前記送信の要求とともにDownlink Data Indication（DDI）を受信する手段と、
前記ユーザ端末が前記メッセージでの前記ユーザデータの前記送信を制限されているかまたは認可されているかを判断した結果に基づいて、前記メッセージでの前記ユーザデータの前記送信のためのページング要求を当該ユーザ端末へ送信する手段と、
をさらに備える、請求項１１に記載のコアネットワークノード。
【請求項１８】
前記ユーザ端末が前記メッセージでの前記ユーザデータの前記送信を制限されているかまたは認可されているかを示す前記パラメータは、前記送信が禁止されていることを示し、
前記送信する手段はさらに、前記送信が禁止されていることを示す前記パラメータを含む設定コマンドを前記アクセスネットワークノードへ送信し、
前記アクセスネットワークノードはさらに、前記送信が禁止されていることを示す前記パラメータを、少なくとも前記ユーザ端末へブロードキャストするよう構成されている、
請求項１２乃至１６のいずれか一項に記載のコアネットワークノード。
【請求項１９】
アクセスネットワークノードであって、
ユーザ端末がUplink Synchronization Channel（UL-SCH）で送信されるメッセージでのユーザデータの当該ユーザ端末への送信を制限されているかまたは認可されているかを示すパラメータと、
前記メッセージでの前記ユーザデータの前記送信用の許可されたパケットサイズの情報と、
を送信する手段を備えるアクセスネットワークノード。
【請求項２０】
ユーザ端末における方法であって、
当該ユーザ端末がUplink Synchronization Channel（UL-SCH）で送信されるメッセージでのユーザデータの送信を制限されているかまたは認可されているかを示すパラメータを、アクセスネットワークノードから受信し、
前記パラメータに基づいて、前記メッセージでの前記ユーザデータの前記送信が制限されているかまたは認可されているかを判断する命令を処理する、
ことを含む方法。
【請求項２１】
前記メッセージでの前記ユーザデータの前記送信の能力の情報を、前記アクセスネットワークノードを介してコアネットワークノードへ送信し、
前記メッセージでの前記ユーザデータの前記送信の前記能力の前記情報を送信した後で、前記パラメータを受信する、
ことをさらに含む、請求項２０に記載の方法。
【請求項２２】
前記メッセージでの前記ユーザデータの前記送信を制限または認可することをサポートする能力の情報を、前記アクセスネットワークノードを介してコアネットワークノードへ送信し、
前記メッセージでの前記ユーザデータの前記送信を制限または認可することをサポートする前記能力の前記情報に基づいて、前記パラメータを受信する、
ことをさらに含む、請求項２０に記載の方法。
【請求項２３】
前記ユーザ端末が前記メッセージでの前記ユーザデータの前記送信を制限されているかまたは認可されているかを示す前記パラメータは、前記コアネットワークノードによって更新されるユーザ端末コンテキストに基いている、請求項２２に記載の方法。
【請求項２４】
前記ユーザ端末が前記メッセージでの前記ユーザデータの前記送信を制限されているかまたは認可されているかを示す前記パラメータは、ユーザ端末コンテキストが確立されるたびに示す、請求項２０乃至２３のいずれか一項に記載の方法。
【請求項２５】
前記ユーザ端末が前記メッセージでの前記ユーザデータの前記送信を制限されているかまたは認可されているかを示す前記パラメータは、前記アクセスネットワークノードからブロードキャストされ、
前記方法は、
前記メッセージでの前記ユーザデータの前記送信用の許可されたパケットサイズの情報を受信し、
前記メッセージでの前記ユーザデータの前記送信用の前記許可されたパケットサイズの前記情報に基づいて、前記ユーザ端末が前記ユーザデータを送信するかどうかを判断する、
ことをさらに含む、請求項２０に記載の方法。
【請求項２６】
前記ユーザ端末が前記メッセージでの前記ユーザデータの前記送信を制限されているかまたは認可されているかを示す前記パラメータは、前記アクセスネットワークノードからブロードキャストされ、
前記ユーザ端末が前記メッセージでの前記ユーザデータの前記送信を制限されているかまたは認可されているかを示す前記パラメータは、前記送信が禁止されていることを示す、請求項２０に記載の方法。
【請求項２７】
前記ユーザ端末が前記メッセージでの前記ユーザデータの前記送信を制限されているかまたは認可されているかを示す前記パラメータと、前記ユーザデータの前記送信用のバックオフタイマの値とを受信し、
前記ユーザ端末が前記バックオフタイマの前記値に基づいて前記メッセージにて前記ユーザデータを送信するかどうかを判断する命令を処理する、
ことをさらに含む請求項２０乃至２６のいずれか一項に記載の方法。
【請求項２８】
前記ユーザ端末が他のRadio Access Technology（RAT）に移動するまで、または前記メッセージでの前記ユーザデータの前記送信の制限が前記コアネットワークノードによって解除されるまで、前記メッセージでの前記ユーザデータの前記送信を試行しないことをさらに含む、請求項２７に記載の方法。
【請求項２９】
前記コアネットワークノードから「Early Data Transmission（EDT）は一時的に利用不可」という値を受信し、
前記ユーザ端末のCellular Internet of Things（CIoT）制御プレーン用のバックオフタイマが満了するまで、前記メッセージでの前記ユーザデータの前記送信を試行しない、
ことをさらに含む、請求項２０乃至２６のいずれか一項に記載の方法。
【請求項３０】
コアネットワークノードにおける方法であって、
命令を記憶し、
ユーザ端末がUplink Synchronization Channel（UL-SCH）で送信されるメッセージでのユーザデータの送信を制限されているかまたは認可されているかを判断する命令を処理する、
ことを含む方法。
【請求項３１】
前記ユーザ端末が前記メッセージでの前記ユーザデータの前記送信を制限されているかまたは認可されているかを示すパラメータを、アクセスネットワークノードを介して当該ユーザ端末へ送信することをさらに含む、請求項３０に記載の方法。
【請求項３２】
前記メッセージでの前記ユーザデータの前記送信の能力の情報を、前記アクセスネットワークノードを介して前記ユーザ端末から受信し、
前記メッセージでの前記ユーザデータの前記送信の前記能力の前記情報に基づいて、前記パラメータを送信する、
ことをさらに含む、請求項３１に記載の方法。
【請求項３３】
前記メッセージでの前記ユーザデータの前記送信を制限または認可することをサポートする能力の情報を、前記アクセスネットワークノードを介して前記ユーザ端末から受信し、
前記メッセージでの前記ユーザデータの前記送信を制限または認可することをサポートする前記能力の前記情報に基づいて前記パラメータを送信する、
ことをさらに含む、請求項３１に記載の方法。
【請求項３４】
前記ユーザ端末に対応するサブスクリプション情報の要求を、サブスクリプションデータ用のサーバへ送信し、
前記ユーザ端末が前記メッセージでの前記ユーザデータの前記送信を制限されているかまたは認可されているかを示す前記パラメータを受信する、
ことをさらに含む、請求項３３に記載の方法。
【請求項３５】
サブスクリプションデータ用のサーバからInsert Subscriber Data Requestを受信し、
前記ユーザ端末が前記メッセージでの前記ユーザデータの前記送信を制限されているかまたは認可されているかを示す前記パラメータを更新する命令を処理し、
前記更新されたパラメータを前記ユーザ端末へ送信する、
ことをさらに含む、請求項３１乃至３４のいずれか一項に記載の方法。
【請求項３６】
ユーザプレーンデータ用のネットワークノードから、前記メッセージでの前記ユーザデータの前記送信の要求とともにDownlink Data Indication（DDI）を受信し、
前記ユーザ端末が前記メッセージでの前記ユーザデータの前記送信を制限されているかまたは認可されているかを判断した結果に基づいて、前記メッセージでの前記ユーザデータの前記送信のためのページング要求を当該ユーザ端末へ送信する、
ことをさらに含む、請求項３０に記載の方法。
【請求項３７】
前記ユーザ端末が前記メッセージでの前記ユーザデータの前記送信を制限されているかまたは認可されているかを示す前記パラメータは、前記送信が禁止されていることを示し、
前記方法は、
前記送信が禁止されていることを示す前記パラメータを含む設定コマンドを前記アクセスネットワークノードへ送信し、
前記送信が禁止されていることを示す前記パラメータを、少なくとも前記ユーザ端末へブロードキャストする、
ことをさらに含む、請求項３１乃至３５のいずれか一項に記載の方法。
【請求項３８】
アクセスネットワークノードにおける方法であって、
ユーザ端末がUplink Synchronization Channel（UL-SCH）で送信されるメッセージでのユーザデータの当該ユーザ端末への送信を制限されているかまたは認可されているかを示すパラメータを送信し、
前記メッセージでの前記ユーザデータの前記送信用の許可されたパケットサイズの情報を送信する、
ことを含む方法。
【請求項３９】
システムであって、
請求項１乃至１０のいずれか一項に記載のユーザ端末と、
請求項１９に記載のアクセスネットワークノードと、
を備えるシステム。
【発明の詳細な説明】
【技術分野】
【０００１】
本開示は、通信システムに関する。本開示は、第３世代パートナーシッププロジェクト（3GPP）標準あるいはその同等物または派生物に従って動作する、無線通信システムおよびそのデバイスに特に関連するが、他を排除するものではない。本開示は、いわゆる「次世代」システムにおける早期データ送信（EDT）の認可制御に特に関連するが、他を排除するものではない。
【背景技術】
【０００２】
3GPPワーキンググループは、Rel-15改良型マシンタイプコミュニケーション（eMTC）および狭帯域を使ったモノのインターネット（NB-IoT）へのEDT機能の導入について議論している。この機能により、ユーザ端末（UE）は、（制御およびユーザプレーンのセルラーを使ったIoT（CIoT）改良型パケットシステム（EPS）最適化を使用して、）無線リソース制御（RRC）メッセージ３（Msg3：ランダムアクセス手続きの一部として、上位層から送信されUE競合解決識別情報に関連付けられている、Cell Radio Network Temporary Identifier（C-RNTI）、Media Access Control Control Element（MAC CE）、またはCommon Control Channel Service Data Unit（CCCH SDU）を含む、アップリンク同期チャネル（UL-SCH）で送信されるメッセージ）にてスモールデータを送信することが可能になる。下記におけるMsgXは、競合ベースのランダムアクセス手続きのステップXを一般に指す（図１を参照（TA36.300、図10.1.5.1-1））。たとえば、「Msg3」で示されるメッセージは、ランダムアクセス応答（RAR）メッセージによって提供されるグラントに関する第１のスケジューリングされたアップリンク（UL）メッセージである。通常のダウンリンク（DL）／UL送信はランダムアクセス手続き後に行うことが可能である。
【０００３】
これまでの3GPP RAN2ワーキンググループの合意は、LS R2-1711978／S2-177180で伝達された。
【０００４】
［表１］
RAN2#99合意
‐制御プレーンおよびユーザプレーンのCIoT EPS最適化のために、Msg3での早期ULデータ送信をサポートすることを目的とする。
‐制御プレーンおよびユーザプレーンのCIoT EPS最適化のために、Msg4での早期DLデータ送信をサポートすることを目的とする。
‐早期データ送信機能は、ASセキュリティがCPを用いたデータ送信についてだけ確立されなかった場合に検討される。
‐早期データ送信機能は、ASセキュリティがCPおよび／またはUPを用いたデータ送信について確立されなかった場合に検討される。
【０００５】
3GPP RAN2はさらに、EDT機能の詳細について議論し、RAN2#99bisにて以下のとおり合意した。
【０００６】
［表２］
RAN2#99bis合意
‐EDTはデータへの使用を目的としたものであり、NASシグナリングへの使用を目的としたものではない。
‐RAN2は、CPのS-TMSIならびにUPのresumeIDおよびshortResumeMAC-Iソリューションが、MMEおよびeNBでUEを識別するのに各々十分であると考える。
‐CPソリューションで、データ用のNAS PDUは、Msg3にて送られるRRCメッセージ内にカプセル化されてCCCH SDUとして送信される。
‐CPソリューションで、DLにおけるNAS PDUデータは、Msg4にて送られるRRCメッセージ内にカプセル化されてCCCH SDUとして送信されることがオプションで可能である。
‐UPソリューションで、Msg3にてRRCメッセージを送信するためにSRB0が使用される。
‐UPソリューションで、ASセキュリティはMsg3を送信する前に再開され、Msg3で送信されるデータはASセキュリティにより保護される。
‐UPソリューションで、DLデータは、MACに、すなわちMsg4のDCCH（RRCメッセージ）およびDTCH（UPデータ）に多重化されることがオプションで可能である。
‐Msg4は、UEがRRCコネクテッドモードになるかRRCアイドルモードになるかを決定する。EDT用のMsg4のコンテンツはFFSである。
‐認可メカニズムを導入する必要があるのならばそれはFFSである。
‐FFS：UPソリューション用：ピン接続、すなわちCCCH (RRCConnectionResumeReq) + DCCH (ピン接続を介したNAS PDU)の場合。
【０００７】
上記のように、RAN2は、制御プレーンおよびユーザプレーンのCIoT改良型パケットシステム（EPS）最適化のためにMsg3での早期ULデータ送信をサポートすることを意図している。
【０００８】
現在の手続きによれば、Msg3の送信はRARによって提供される初期ULグラントに基づいて実行されるため、トランスポートブロックのサイズはグラント次第である。アップリンク送信が必要な場合、例えば競合解決において、改良型ノードB（eNB）はRARで56ビット（NB-IoTの場合は88ビット）未満のグラントを提供するべきではない（TS 36.300を参照）。
【０００９】
Msg3およびMsg4（競合解決）（図１を参照）は、ハイブリッド自動再送要求（HARQ）プロセスを使用する。現在の仕様によれば、Msg3は、初期アクセスのために少なくとも非アクセス層（NAS）UE識別子を伝達するが、NASメッセージを伝達することはない。Msg3送信は、（ULバッファよりも優先度が高い）別個のMsg3バッファを使用して行われる。
【００１０】
制御プレーン（CP）CIoT EPS最適化早期データ送信
【００１１】
NASプロトコルデータユニット（PDU）としてMsg3（UL）および／またはMsg4（DL）にてデータを送信することを可能にする例示的なコールフローを図２に示す。手順を以下に簡潔に説明する。
【００１２】
Ａ．  リソースの決定：eNB５は、完全なRRC接続を確立せずに、スモールデータパケットサイズの早期送信を許可することを決定する。eNB５は、この目的のために物理ランダムアクセスチャネル（PRACH）リソースを割り当てる。
０．  eNB５は、システム情報ブロードキャスト（SIB）を用いてリソースを報知する。
Ｂ．  UE３は、報知されたリソースおよび送信するデータの量に基づいてPRACHリソースを選択する。この選択は、対応するPRACHプールからのランダムな選択に基づくものであってよい。
【００１３】
注：Msg3手続きにおいてPRACHリソースがデータ用のMsg0にてブロードキャストされない場合、あるいは、UE３がNASシグナリング手続きを実行する予定である場合、またはUE３が一つの媒体アクセス制御（MAC）ブロックで可能であるよりも多くのデータを送受信する予定である場合、UE３は、レガシーＲＲＣ接続確立／再開手続きを使用する。
【００１４】
１．  UE３は、適切にフォーマットされたPRACHプリアンブル（Msg1：ランダムアクセスプリアンブル）を送信する。
２．  UE３は、RAR（Msg2）を受信する。現在のロングタームエボリューション（LTE）では、RARはアップリンクグラントとタイミングアドバンス（TA）とを（一時C-RNTIなどに加えて）含み得る。Msg3でのデータ送信を可能にするために、RARを更新して電力制御情報を含めることができる。さもなければ、UE３は、開ループ電力制御を使用することができる（すなわち、UE３は、送信電力自体を決定する）。
３．  UE３は、RARに示されたULグラントを使用して、UE識別子（UEID）（後述）およびNAS PDUとともに適切にフォーマットされたMsg3を送信する。UE３は、RARからの電力制御情報が含まれていればそれを考慮する。UE３は、このステップの後に競合解決タイマーを開始する。
４−６．  eNB５は、UEIDに基づいて適切なモビリティ管理エンティティ（MME）９を選択し、選択されたMME９にNAS PDUを転送する。eNB５は、UE３がEDT手続きを開始したことをMME９に示してもよい。UE３のDLデータが利用可能である場合、サービングゲートウェイ（SGW）１１はダウンリンクデータをMME９に提供し、MME９はNAS PDUとしてダウンリンクデータをeNB５に転送し、NAS PDUはUE３に渡される。UE３が早期データ送信を開始したことをeNBが示した場合、それに応じて、MME９は、任意のダウンリンクNAS PDUを転送した後に関連するS1-AP接続を終了するよう構成されてもよい。この指示子は、ULデータの処理に優先順位を付けてステップ６を迅速に処理するためにMME９によって使用されてもよい。
７．  ネットワークは、Msg3の受信を確認し、競合解決を完了し、（必要な場合に）NAS PDUを含む、適切にフォーマットされたMsg4で応答する。NAS PDUが含まれていれば、NASは、有効なネットワークと通信しているかどうかを確認することができる。
【００１５】
注：現在のNAS仕様では、MMEがNAS PDUの受信を確認するための何かで応答することを義務付けていないため、NAS PDUはオプションである。
【発明の概要】
【発明が解決しようとする課題】
【００１６】
Msg3による早期データ送信（EDT）（すなわち、現在のRRC接続要求メッセージ、図１および図２を参照）を使用するには、システム情報（SI）にてブロードキャストされるEDT向け物理ランダムアクセスチャネル（PRACH）リソース割り当てのような、特定の無線アクセスネットワーク（RAN）機能が必要である。EDT対応であって、かつEDTによりスモールデータを送信しようとするUE３は、ネットワークにアクセスするために、ランダムアクセスプリアンブルメッセージにて特別に割り当てられたPRACHリソース（たとえばPRACHプリアンブル）を使用する。UE３は、SIBにて報知されたリソースと、UE３が送信しようとするデータの量とに基づいて、PRACHリソース／プリアンブルを選択する。PRACHリソース／プリアンブルの選択は、対応するPARCHプールからのランダムな選択に基づいて行うことができる。EDTを使用しようとするUEが多数存在する場合、EDT向けPRACHリソース割り当てはブロードキャストされるが、割り当てられるPRACHリソース／プリアンブルは十分でない場合がある。これにより、一部のUEはデータ転送にEDT機能を使用できなくなり、これらのUEは代わりに制御プレーンまたはユーザプレーンCIoT最適化を用いたデータ転送を使用する。
【００１７】
本発明者らは、特定のサブスクライバ（たとえば、サブスクリプションにより認可された者）だけがEDT機能の恩恵を受けられることを保証するために、EDT機能の使用を（必要な場合および場所において）制限することが有利であることに気付いた。
【００１８】
また、モバイルネットワーク事業者がEDTをサービス機能としてサービスプロバイダに公開する可能性があるため、サードパーティのサービスプロバイダがEDTのステータスを照会したり、UEごとにEDT機能を有効／無効にしたりすることを可能にすることが望ましいだろう。
【００１９】
したがって、本開示の目的は、EDTを適切に制御することが困難であるという問題を解決する、UE、コアネットワークノード、アクセスネットワークノード、送信制御方法、および制御方法を提供することである。
【００２０】
上記の目的を達成するために、本開示の一つの態様であるユーザ端末（UE）は、受信手段とハードウェアプロセッサとを含む。前記受信手段は、前記ユーザ端末がUplink Synchronization Channel（UL-SCH）で送信されるメッセージでのユーザデータの送信を制限されているか認可されているかを示すパラメータを、アクセスネットワークノードから受信するよう構成されている。前記ハードウェアプロセッサは、前記パラメータに基づいて、前記メッセージでの前記ユーザデータの前記送信が制限されているか、または、認可されているかを判断する命令を処理するよう構成されている。
【００２１】
また、本開示の他の態様であるコアネットワークノードは、メモリと少なくとも一つのプロセッサとを含む。前記メモリは、命令を記憶するためのものである。前記プロセッサは、ユーザ端末がUL-SCHで送信されるメッセージでのユーザデータの送信を制限されているかまたは認可されているかを判断する命令を処理するよう構成されている。
【００２２】
また、本開示の他の態様であるアクセスネットワークノードは、送信手段を含む。前記送信手段は、ユーザ端末がUL-SCHで送信されるメッセージでのユーザデータの当該ユーザ端末への送信を制限されているかまたは認可されているかを示すパラメータと、前記メッセージでの前記ユーザデータの前記送信用の認可されたパケットサイズの情報とを送信するよう構成されている。
【００２３】
また、本開示の他の態様であるユーザ端末における方法は、当該ユーザ端末がUL-SCHで送信されるメッセージでのユーザデータの送信を制限されているかまたは認可されているかを示すパラメータをアクセスネットワークノードから受信し、前記パラメータに基づいて前記メッセージでの前記ユーザデータの前記送信が制限されているかまたは認可されているかを判断する命令を処理することを含む。
【００２４】
また、本開示の他の態様であるコアネットワークノードにおける方法は、命令を記憶し、ユーザ端末がUL-SCHで送信されるメッセージでのユーザデータの送信を制限されているかまたは認可されているかを判断する命令を処理することを含む。
【００２５】
また、本開示の他の態様であるアクセスネットワークノードにおける方法は、ユーザ端末がUL-SCHで送信されるメッセージでのユーザデータの当該ユーザ端末への送信を制限されているかまたは認可されているかを示すパラメータを送信し、前記メッセージでの前記ユーザデータの前記送信用の認可されたパケットサイズの情報を送信することを含む。
【００２６】
また、本開示の他の態様であるシステムは、ユーザ端末とアクセスネットワークノードとを含む。前記ユーザ端末は本開示の上記の態様に記載の構成を含み、前記アクセスネットワークノードは本開示の上記の態様に記載の構成を含む。
【００２７】
上記のような構成により、本開示はEDTを適切に制御することが困難であるという問題を解決するUE、コアネットワークノード、アクセスネットワークノード、送信制御方法、および制御方法を提供することができる。
【図面の簡単な説明】
【００２８】
【図１】図１は、競合ベースのランダムアクセスの例を表す図である。
【図２】図２は、データ送信を許可するコールフローの例を表す図である。
【図３】図３は、登録手続き、接続手続き、またはTAU／RAU手続きにおけるネットワークによるEDT制限／認可制御を示す。
【図４】図４は、NEF／SCEFを介したサービス事業者によるEDT制限／認可制御を示す。
【図５】図５は、EDTの使用が制御されている、EDTのページングを示す。
【図６】図６は、RANノード５におけるEDT輻輳制御を示す。
【図７】図７は、セル、セル群、登録エリア全体で、または公衆陸上移動体ネットワーク（PLMN）全体でEDTが禁止されている場合を示す。
【図８】図８は、モバイル（セルラーまたは無線）通信システム１を概略的に表す。
【図９】図９は、UEの主要な構成要素を表すブロック図である。
【図１０】図１０は、RANノード５の主要な構成要素を表すブロック図である。
【図１１】図１１は、例示的なコアネットワークノードの主要な構成要素を表すブロック図である。
【発明を実施するための形態】
【００２９】
＜第１の実施態様＞
図３乃至図７は、上記の問題に対処し得る例示的な方法のいくつかを概略的に表す。図８は、本明細書で提示される技術が適用され得るセルラー通信システムを概略的に表す。図９乃至図１１は、図１乃至図８に示されたノードのいくつかの概略ブロック図である。
【００３０】
ソリューション１：ネットワークによるEDT制限／認可
【００３１】
ソリューション１は、ネットワークによるEDT制限／認可制御を提案する。EDT制限／認可制御は、ネットワーク（すなわち、ネットワーク事業者）が各UE３または各UE群に対してEDTの使用を制限または認可することを可能にするであろう。特定のUEに対してEDTを制限または認可するために、統一データ管理（UDM）／統一データリポジトリ（UDR）、ホームサブスクライバサーバ（HSS）またはホームロケーションレジスタ（HLR）１０に、EDT制限パラメータ（あるいはEDT認可パラメータ、あるいはEDT禁止パラメータ、あるいはUEによるEDT使用の認可または制限を目的としたパラメータの任意の他の名称）と呼ばれる新たなサブスクリプションパラメータを導入することを提案する。このパラメータは、UDM／UDR、HSSまたはHLR１０に保持され、公衆陸上移動体ネットワーク（PLMN）ごとにUE３に対してEDT機能が制限されるか認可されるか（許可されるか許可されないか）を指定する。EDT制限／認可パラメータは、運用および保守（O&M）モジュールを介してUDM／UDR、HSSまたはHLR１０に構成可能である。また、サードパーティのサービスプロバイダは、ネットワーク公開機能（NEF）またはサービス機能公開（SCEF）１３を介して、UDM／UDR、HSSまたはHLR１０のEDT制限／認可パラメータを照会または有効化／無効化することができる。
【００３２】
図３は、登録、接続、またはTAU／RAU手続きにおけるネットワークによるEDT制限／認可制御を示す。
【００３３】
１ａ）  UE３がEDT対応であって、かつUE３が（たとえば、EDT制限／認可サポートのサブスクリプションによって）EDT制限／認可機能をサポートしている場合、UE３は、（たとえば、UE３がキャンプオンしているRAT（Radio Access Technology）の）EDT制限／認可をサポートする自身の機能を、適切にフォーマットされた登録要求、接続要求、またはTAU／RAU要求メッセージ（および／もしくは任意の他の適切なNASメッセージ）にてAMF／MME／SGSN９に示す。
別の態様では、UE３は、適切にフォーマットされた登録要求、接続要求、またはTAU／RAU要求メッセージ（および／もしくは任意の他の適切なNASメッセージ）にて、自身のEDT機能サポート（たとえば、UE３がEDT対応であることの指示子）を示すことができる。この場合、EDT機能サポート指示子は、AMF、MMEまたはSGSN９によって、UE３がEDT対応であって、かつUE３がEDT制限／認可処理を同様にサポートするように解釈可能である。
【００３４】
１ｂ）  UE３は、EDT制限／認可に対するサポートを、RANノード５（たとえば、基地局、gNB、eNB、またはRNC）を介して間接的にAMF／MME／SGSN９にオプションで示すことができる。すなわち、最初に、RRCメッセージ（たとえば適切にフォーマットされたRRC接続要求またはRRC接続設定完了または任意の他の適切なASメッセージ）にてRANノード５（gNB、eNB、またはRNC）に示し、そして、RANノード５は、RANノード５とAMF／MME／SGSN９との間のN2／S1インタフェース上で、適切なN2-AP／S1-AP UE初期メッセージ、または任意の他の適切な（既存の、または新規の）メッセージにて、EDT制限／認可サポートパラメータをAMF／MME／SGSN９に転送する。
別の態様では、UE３は、RRC接続要求またはRRC接続設定完了または任意の他のASメッセージにて、そしてその結果としてN2-AP／S1-AP UE初期メッセージにて、自身のEDT機能サポート（たとえば、UE３がEDT対応であることの指示子）を示すことができる。この場合、EDT機能サポート指示子は、AMF、MMEまたはSGSN９によって、UE３がEDT対応であり、かつUE３がEDT制限／認可処理を同様にサポートするように解釈可能である。
【００３５】
２）  AMF／MME／SGSN９がUE３についてサブスクリプション情報を有していない場合、AMF／MME／SGSN９は、（たとえば、Update Location Request／Ack手続き、またはUDM／UDR、HSSもしくはHLR１０からのUEサブスクリプション情報の取得／照会のための任意の他の手続きにより）UE３についてUDM／UDR、HSSまたはHLR１０にUEサブスクリプション照会を実行することができる。これには、UE３に対するEDT制限／認可サブスクリプションパラメータが含まれる。このパラメータは、UDM／UDR、HSSまたはHLR１０にサブスクリプションデータの一部として保持され、EDT機能がUE３に対して制限されるかどうかを特定する。EDT制限／認可は、当該PLMN内のRATごとに、PLMNごとに、またはユーザのHPLMNを含むすべてのPLMNについて行うことができる。
【００３６】
３）  AMF／MME／SGSN９は、UDM／UDR、HSSまたはHLR１０から受信したEDT制限／認可パラメータの最新のステータスでUEコンテキストを更新する。
【００３７】
４）  UE３がEDT対応であって、かつUEがNASまたはASメッセージを介してステップ１でEDT制限／認可に対するサポートを示した場合、AMF／MME／SGSN９は、RANノード５（gNB、eNB、またはRNC）に、UEコンテキストが確立されているときはいつでも、たとえばサービス要求手続き、登録手続き、接続手続き、およびTAU／RAU手続きの間に、UE３がRANにおいてEDT機能を使用することを制限されているかまたは認可されているかを（UDM／UDR、HSSまたはHLR１０からのEDT制限／認可パラメータ値に基づいて）、N2／AP／S1-AP初期コンテキスト設定要求メッセージ（または、AMF／gNBインタフェース、MME／eNBインタフェース、もしくはSGSN／RNCインタフェースでの任意の他のメッセージ）内に示す。
AMF／MME／SGSN９はまた、RANノード５へのN2-AP／S1-AP初期コンテキスト設定要求メッセージまたはダウンリンクNASトランスポートメッセージに、登録／接続／TAU／RAU受諾メッセージを含める。UE３がステップ１でEDT制限／認可に対するサポートを含めた場合、AMF／MME／SGSN９は、EDT制限／認可パラメータを、UE３への登録受諾メッセージ／接続受諾メッセージ／TAU受諾メッセージ／RAU受諾メッセージ、または任意の他のメッセージに含める。
EDT制限／認可パラメータは、「EDTを制限する／制限しない」、「EDTを禁止する／禁止しない」、「EDTを認可する／認可しない」、「EDTの代わりにCIoT Cプレーンメカニズムを使用する」、「EDTの代わりにCIoT Uプレーンメカニズムを使用する」、または「EDTは一時的に利用不可」などの値を取り得る。EDTがEPCまたは5GCにおいて何らかの理由により一時的に利用不可である場合、たとえば、AMF／MME／SGSN９が輻輳している、またはNEF／SCEF１３が輻輳している場合、AMF／MME／SGSN９は、EDTの使用が制限される時間を示すEDTバックオフタイマを含めてもよい。AMF／MME／SGSN９がUE３に「EDTは一時的に利用不可」を示すがEDTバックオフタイマを示していない場合、UE３は、登録受諾メッセージ／接続受諾メッセージ／TAU受諾メッセージ／RAU受諾メッセージ、または任意の他のNASメッセージにて入手可能であれば、「CIoT C-planeバックオフタイマ」のバックオフタイマ値を使用することができる。
【００３８】
５）  RANノード５は、RRC接続再構成メッセージまたはRRC直接転送メッセージまたは任意の他の適切なRRCメッセージにて、受信したNASメッセージ（たとえば、登録／接続／TAU／RAU受諾または任意の他のNASメッセージ）をUE３に転送する。
【００３９】
６）  UE３は、受信したEDT制限／認可パラメータの値を使用して、EDT機能が制限されているか認可されているか（たとえば、許可されているか否か、禁止されているか禁止されていないか）を決定するよう構成されている。
UE３がEDT対応である場合、UE３は、ネットワークによって明示的に制限／禁止されていない限り、EDT機能が認可されていると想定する。
EDT機能がネットワークにより制限／禁止されている場合、UE３は、EDT制限がネットワークによって明示的に解除されるまで（たとえば、UE３へのシグナリングにて）、またはUE３が別のRATもしくはPLMNに移動するまで、EDTを試行しない。
EDT機能が制限されていて、かつEDTバックオフタイマが含まれている場合、UE３はEDTバックオフタイマの満了までEDTを試行しない。
【００４０】
図４は、NEF／SCEF１３を介したサービス事業者によるEDT制限／認可制御を示す。
【００４１】
１．  SCS／AS１２（Service Capability Server／Application Server）は、EDT要求（外部識別子またはMSISDN、SCS／AS識別子、およびEDTのうち少なくとも一つを含む）メッセージをNEF／SCEF１３に送信する。EDTパラメータ（または同じ目的を持つ任意の他の名称のパラメータ）は、要求が、UDM／UDR、HSSまたはHLR１０において、特定のUEまたはUE群のEDT機能のステータス（たとえば、制限されているか否か）を照会するものであるのか、あるいはEDT制限／認可サブスクリプションパラメータを有効／無効にするものであるのか、を示す。
【００４２】
２．  NEF／SCEF１３はSCS／AS識別子を記憶する。NEF／SCEF１３はNEF／SCEF参照IDを割り当てる。オペレータポリシーに基づき、SCS／AS１２がこの要求の実行を認可されていない場合（たとえば、SLAがそれを許可していない場合）、またはSCS／AS１２がEDT要求送信の割当量もしくは割合を超えた場合、NEF／SCEF１３は（ステップ９に示すように）EDT応答を返し、失敗の結果を適切に示すEDT結果パラメータの値を提供する。
【００４３】
３．  NEF／SCEF１３は、EDT要求（EDT）メッセージをUDM／UDR、HSSまたはHLR１０に送信する。
【００４４】
４．  UDM／UDR、HSSまたはHLR１０は、たとえばEDT制限／認可機能がサービングAMF／MME／SGSN９によってサポートされているかどうかについて、EDT要求メッセージを調べる。この確認が失敗した場合、UDM／UDR、HSSまたはHLR１０は、ステップ８でEDT応答メッセージを返し、失敗を示すEDT結果パラメータの値をNEF／SCEF１３に提供する。
EDT要求がUDM／UDR、HSSまたはHLR１０のEDT制限／認可パラメータの現在のステータスを取得することである場合、UDM／UDR、HSSまたはHLR１０は、EDT制限／認可パラメータの値を調べ、ステップ８でEDT応答メッセージを返す。EDT結果パラメータには、UDM／UDR、HSSまたはHLR１０が、EDT制限に関する情報、すなわちEDT機能の使用が制限されているか否か（たとえば、有効であるか無効であるか）を含める。
EDT要求メッセージのEDTパラメータがEDT機能を有効または無効にすることである場合、UDM／UDR、HSSまたはHLR１０は、UDM／UDR、HSSまたはHLR１０のEDT制限／認可パラメータを適切な値（たとえば、EDTが許可されているか許可されていないか）を設定する。
【００４５】
５．  UDM／UDR、HSSまたはHLR１０は、AMF／MME／SGSNコンテキスト内のEDT制限／認可パラメータを更新する（EDT機能の使用を有効または無効にする）ために、Insert Subscriber Data要求をAMF／MME／SGSN９に送信する。
【００４６】
６．  オペレータポリシーに基づいて、AMF／MME／SGSN９は要求を拒絶することができる（たとえば、過負荷、または、UDM／UDR、HSSもしくはHLR１０がEDT制限／認可要求を送信するための割当量または割合を超えた）。
AMF／MME／SGSN９は、AMF／MME／SGSNコンテキスト内のEDT制限／認可パラメータを更新する。たとえば、AMF／MME／SGSN９は、AMF／MME／SGSN変更の際に、EDT制限／認可パラメータを自身のコンテキスト情報の一部として転送するよう構成することができる。
AMF／MME／SGSN９は、次のTAU／RAUでUEのEDT制限／認可パラメータを更新する。または、ネットワークは、ローカルオペレータポリシーに基づいて、再接続が必要であることを示すUEを切断することが可能である。
【００４７】
７．  EDT制限／認可が正常に更新されると、AMF／MME／SGSN９は、Insert Subscriber Data応答メッセージをUDM／UDR、HSSまたはHLR１０に送り返す。AMF／MME／SGSN９は、AMF／MME／SGSNコンテキストのEDT制限／認可パラメータの更新が成功したか失敗したかを示すために、Insert Subscriber Data応答メッセージにEDT結果パラメータを含めてもよい。
【００４８】
８．  UDM／UDR、HSSまたはHLR１０は、EDT応答（NEF／SCEF参照ID、EDT結果）メッセージをNEF／SCEF１３に送信する。UDM／UDR、HSSまたはHLR１０は、成功／失敗を示すEDT結果を含める。
【００４９】
９．  NEF／SCEF１３は、EDT応答（EDT結果）メッセージをSCS／AS１２に送信する。EDT結果は、成功または失敗を示す。ステップ１で、UDM／UDR、HSSまたはHLR１０のEDT制限／認可パラメータのステータスを照会するためにEDT要求メッセージが送信された場合、EDT結果パラメータは、UDM／UDR、HSSまたはHLR１０のEDT制限／認可パラメータのステータス、すなわちEDTが許可されるか、または、EDTが許可されないかを示す。
【００５０】
図５は、EDTの使用が制限されているEDTのページングを示す。
【００５１】
１．  AMF／MME／SGSN９は、ダウンリンクでの早期データ送信（EDT）の要求とともにダウンリンクデータ指示子（DDI）を受信する（EDTページング、またはページングがダウンリンクのEDT用であることを意味する任意の他の名称の指示子もしくはパラメータ）。AMF／MME／SGSN９は、受信したEDTページングの指示子を記憶する。AMF／MME／SGSNコンテキスト内のEDT制限／認可パラメータが制限に設定されていない場合（たとえば、EDT制限／認可パラメータが制限に設定されていない場合）、AMF／MME／SGSN９は、ページングのためにAMF／MME／SGSN９によって選択されたすべてのgNB／eNB／RNC５への以降のページングメッセージそれぞれにEDTページングパラメータを含める。
【００５２】
２．  AMF／MME／SGSN９が、ページングされたUE３がEDTの使用を認可されている（つまり、制限されていない）かどうかの情報（EDT制限／認可パラメータ）を有していない場合、AMF／MME／SGSN９は、UDM／UDR、HSSまたはHLR１０にサブスクリプション照会を行い、（たとえば、Update Location Request／Ack手続き、またはUDM／UDR、HSSもしくはHLR１０からのUEサブスクリプション情報取得／照会のための任意の他の手続きにより）UEのサブスクリプション情報を取得する。
【００５３】
３．  ページングされたUE３がEDTを認可されている（たとえば、このUE３のEDT使用が、EDT制限／認可のようなサブスクリプションパラメータなどによって制限されていない）場合、AMF／MME／SGSN９はEDTのためにUE３をページングすることを決定する。
【００５４】
４．  AMF／MME／SGSN９は、AMF／MME／SGSN９が、ページングがEDT用であることを示すEDTページングパラメータ（または他の任意の名称のパラメータ）をUE IDとともに含めたページング要求を、接続されたRANノード５に送信する。
【００５５】
５．  RANノード５は、EDTページングパラメータが含まれるページングメッセージがブロードキャストされるシステム情報ブロードキャストメッセージにて、ページング要求を転送する。
【００５６】
EDT対応であって、かつEDT用にページングされている（つまり、ページングメッセージにEDTページングパラメータが含まれている）モバイル端末は、ページングに応答し、EDTデータ送信の手続きに従い（たとえば、EDT用に設計されたPRACHプリアンブルを使用して）、Msg2（RRC接続／非接続要求メッセージ）にてデータ（たとえば、データPDU、NASデータ）を渡すよう構成される。
【００５７】
図６は、RANノード５（たとえば、eNB／gNB）におけるEDT輻輳制御を示す。
【００５８】
０．  RANノード５は、EDTメカニズムを使用したスモールユーザデータ送信がRANにおいて利用可能であることをSIBにて報知する。
【００５９】
１．  UE３は、適切にフォーマットされたMsg1、たとえばランダムアクセスプリアンブルを送信する。
【００６０】
２．  PRACHリソースがRANにおいて不足している場合、RANは、適切にフォーマットされたMsg2をRARアップリンクグラントおよび「EDT用の許可されたパケットサイズ」とともにUE３に送信する。
【００６１】
３．  Msg2（ランダムアクセス応答メッセージ）内の「EDT用の許可されたパケットサイズ」がRANにおいて特定された場合、UE３は、UE３がMsg３（たとえば、RRC接続要求またはEDTデータ要求またはEDTを目的とする任意の他の名称のメッセージ）にてユーザデータを送信することが可能であるかを決定するために、RANから受信した「EDT用の許可されたパケットサイズ」とUE３の上位層から送信されるユーザデータとを比較する。UE３のユーザデータが「EDT用の許可されたパケットサイズ」よりも大きい場合、UE３は、適切にフォーマットされたMsg5（たとえばRRC接続設定完了）を使用する、またはユーザプレーンを介したデータ送信を使用する、通常のCIoT MO（Mobile Originated）手続きにフォールバックする。
【００６２】
要約すると、図６は、送信されるユーザデータのサイズがMsg2のランダムアクセス応答内の「EDT用の認可されたパケットサイズ」よりも小さいために、UE３がEDTデータとともにMsg3を送信する、という使用事例を示している。
【００６３】
図７は、セル、セル群、登録エリア全体において、またはPLMN全体において、EDTが禁止されている場合を示す。ネットワーク事業者が、セル、セル群、または登録エリア内においてすべてのUEに対してEDTの禁止を要求することが可能である。
【００６４】
１）  AMF／MME／SGSN９またはO&Mモジュールにおけるオペレータポリシーまたは設定に基づいて、AMF／MME／SGSN９は、AMF／MME／SGSN９とRANノード５（たとえばgNBまたはeNBまたはRNC）との間のN2／S1インタフェースでの、適切にフォーマットされたAMF／MME設定コマンド、またはN2-APもしくはS1-AP初期設定要求メッセージ、または任意の他の適切な（新規の、もしくは既存の）メッセージにて、EDT禁止指示子／パラメータをRANノード５に示すことができる。EDT禁止指示子／パラメータ（またはEDTを禁止するか否かについての任意の他の名称の指示子／パラメータ）は、「EDTを禁止する」、「EDTを禁止しない」などの値、またはUEによるEDTの使用の制限もしくは認可を制御するための任意の他の値を取ることができる。AMF／MME／SGSN９は、一つのRANノード、RANノード群、または登録エリア内のすべてのRANノードにEDT禁止指示子を示すことができる。含まれるEDT禁止指示子がONに設定されている（つまり、EDTが禁止されている）場合、AMF／MME／SGSN９は、同じN2／S1メッセージに、EDTが禁止される時間を定義するEDTバックオフタイマを含めることもできる。
【００６５】
２）  RANノード５が、AMF／MME／SGSN９からのN2／S1メッセージ（たとえば、AMF／MME設定コマンドメッセージ、N2-AP／S1-AP初期設定要求メッセージまたはAMF／MME／SGSN９からの任意の他のメッセージ）にてEDT禁止指示子を受信すると、RANノード５は、受信したEDT禁止指示子を記憶し、SIブロードキャストにEDT禁止指示子を設定して、AMF／MME／SGSN９からのEDT禁止指示子を反映させる。
EDTバックオフタイマが含まれている場合、EDTバックオフタイマの満了まで、または禁止ステータスをリセットする（たとえばUEによるEDTの使用を許可する）新たなEDT指示子をAMF／MME／SGSN９から受信するまで、RANノード５はEDT禁止ステータスをブロードキャストし続ける。
EDTバックオフタイマが含まれていない場合、禁止ステータスをリセットする（たとえばUEによるEDTの使用を許可する）新たなEDT指示子をAMF／MME／SGSN９から受信するまで、RANノード５はEDT禁止ステータスをブロードキャストし続ける。
【００６６】
３）  アイドルモードのUE３がシステム情報を読み込むとき：
システム情報（SI）内のEDT指示子／パラメータが、EDTが禁止されていることを示す場合、UE３は、SI内のEDT指示子が禁止ステータスを示すまで、EDTを用いたデータ送信を開始してはならない。
システム情報（SI）内のEDT指示子／パラメータが、EDTが禁止されていないことを示す、またはEDTステータス指示子がまったく存在しない場合、EDTが他のいかなる手段によって制限されていない限り、UE３はEDTを用いたデータ交換を開始することが可能である。
【００６７】
注：上記のすべての3G／4Gソリューションの提案は、AMF、SCEFに代わるNEF、HSS／HLRに代わるUDM／UDRがMME／SGSNの代わりに使用される5Gにも等しく適用可能である。RANノードは、3GにおけるRNC、4GにおけるeNB、および5GにおけるgNBまたはNG-RANを含み得る。
【００６８】
概要
【００６９】
有益なことに、上記の例示的な態様は、下記の機能のうち一つまたは複数を含むが、これらに限定されない。
【００７０】
１）  EDT制限パラメータ（あるいはEDT認可パラメータ、あるいはUEによるEDTの使用の認可または制限を目的とした任意の他の名称のパラメータ）と呼ばれる、UDM／UDR、HSS、またはHLRにおける新たなサブスクリプションパラメータ。
【００７１】
２）  UEは、適切にフォーマットされたNASメッセージにてEDTのサポートあるいはEDT制限または認可のサポートをAMF／MME／SGSNに示す（たとえば、登録、接続、TAU／RAU要求メッセージ）。
【００７２】
３）  AMF／MME／SGSNは、UEサブスクリプション情報について、UDM／UDR、HSS、またはHLRに照会するときに、EDT制限／認可パラメータの最新のステータスでUEコンテキストを更新する。
【００７３】
４）  UEがEDT制限／認可に対するサポートを登録／接続／TAU／RAU要求に含めた場合、AMF／MME／SGSNは、登録受諾メッセージ／接続受諾メッセージ／TAU受諾メッセージ／RAU受諾メッセージまたは任意の他のNASメッセージにてEDT制限／認可パラメータをUEに提供する。
【００７４】
５）  NEF／SCEFを介したサービス事業者によるEDT制限／認可制御。
【００７５】
６）  UEがEDT対応であって、かつUEがサブスクリプションによりEDTの使用を制限されていない場合の、EDT用のページング。
【００７６】
７）  ランダムアクセス応答メッセージおよびUEによるEDTの使用におけるEDTリソースグラントは、EDT用の許可されたリソース以下の送信用データである。
【００７７】
８）  システム情報にてブロードキャストされるEDT禁止指示子／パラメータを介した、セル、セル群、登録エリア、またはPLMN全体におけるEDT禁止。
【００７８】
上記の態様は下記のステップのうち一つまたは複数を含む方法を説明していることがわかる。
【００７９】
１）  EDT制限パラメータ（あるいはEDT認可パラメータ、あるいはUEによるEDT使用の認可または制限を目的とした任意の他の名称のパラメータ）と呼ばれる、UDM／UDR、HSS、またはHLRの新たなサブスクリプションパラメータ定義。
【００８０】
２）  UEは、EDTのサポートあるいはEDT制限または認可のサポートをNASメッセージにてAMF／MME／SGSNに示す（たとえば、登録、接続、TAU／RAU要求メッセージ）。
【００８１】
３）  あるいは、最初に、UEがEDTのサポートあるいはEDT制限または認可のサポートをRRCメッセージ（たとえば、RRC接続要求またはRRC接続設定完了または任意の他のASメッセージ）にてRANノード（gNB、eNB、またはRNC）に示し、次に、RANノードがEDT制限／認可サポートパラメータを、RANノードとAMF／MME／SGSNとの間のN2／S1インタフェースにおける、N2-AP／S1-AP UE初期メッセージ、または任意の他の既存のもしくは新たなメッセージにてAMF／MME／SGSNに転送する。
【００８２】
４）  AMF／MME／SGSNは、UEサブスクライバ情報についてUDM／UDR、HSSまたはHLRに照会するときに、EDT制限／認可パラメータの最新のステータスでUEコンテキストを更新する。
【００８３】
５）  UEがEDT制限／認可に対するサポートを登録／接続／TAU／RAU要求に含めた場合、AMF／MME／SGSNは、登録受諾メッセージ／接続受諾メッセージ／TAU受諾メッセージ／RAU受諾メッセージまたは任意の他のNASメッセージにてEDT制限／認可パラメータをUEに提供する。
【００８４】
６）  NEF／SCEFを介したサービス事業者によるEDT制限／認可制御。
【００８５】
７）  UEがEDT対応であって、かつUEがサブスクリプションによりEDTの使用を制限されていない場合の、EDT用のページング。
【００８６】
８）  ランダムアクセス応答メッセージおよびUEによるEDTの使用におけるEDTリソースグラントは、EDT向けの認可されたリソース以下の送信用データである。
【００８７】
９）  システム情報にてブロードキャストされるEDT禁止指示子／パラメータを用いた、セル、セル群、登録エリア、またはPLMN全体におけるEDT禁止。
【００８８】
上記の態様は、有益なことに、上記を含む（がこれに限定されない）多くの利点をもたらすことがわかる。
【００８９】
提案されたEDT制限／認可制御により、ネットワーク（すなわち、ネットワーク事業者）は、UEまたはUE群ごとにEDTの使用を制限または認可することができる。特定のUEに対してEDTを制限または認可するために、EDT制限パラメータと呼ばれる、UDM／UDR、HSSまたはHLRにおける新たなサブスクリプションパラメータを導入することが提案されている。このようにして、ネットワーク事業者は、すべてのEDT対応UEがEDT機能を利用できるわけではない場所や時間でのEDT使用に優先順位をつけることができる。
【００９０】
システム外観
【００９１】
図８は、上述した態様を適用可能なモバイル（セルラーまたは無線）通信システム１を概略的に示す。
【００９２】
このネットワークにおいて、モバイルデバイス３Ａ乃至３Ｃ（またはUser Equipment「UE」）のユーザは、5G無線アクセス技術（RAT）を使用して、各基地局５およびコアネットワーク７を介して、互いにまたは他のユーザと通信することができる。当然のことながら、多数の基地局５（または5Gネットワークにおける「gNB」、LTEにおける「eNB」）が（無線）アクセスネットワークを形成する。当業者には理解されるように、図８には説明のために三つのモバイルデバイス３と一つの基地局５とが示されているが、システムは、実装されるとき、通常は他の基地局およびモバイルデバイスを含むであろう。また、当然のことながら、（無線）アクセスネットワークは、（たとえば、5Gの代わりに、または5Gに加えて）E-UTRA無線アクセス技術をサポートすることも可能である。
【００９３】
通常、コアネットワーク７は通信システム１における通信をサポートするための論理ノード（または「機能」）を含む。典型的には、たとえば、「次世代」／5Gシステムのコアネットワーク７は、機能の中でもとりわけ、制御プレーン機能とユーザプレーン機能とを含む。
【００９４】
周知のように、モバイルデバイス３は、通信システム１によってカバーされる地理的エリア内を動き回りながら、基地局５または（R）ANによって扱われるエリア（すなわち、無線セル）に出入りすることが可能である。モバイルデバイス３の追跡を継続し、異なる基地局５間での移動を容易にするために、コアネットワーク７は少なくとも一つのアクセスモビリティ管理機能（AMF）９を含む。AMF９は、コアネットワーク７に接続された基地局５と通信している。コアネットワークによっては、AMF９の機能がモビリティ管理エンティティ（MME）またはサービングGPRSサポートノード（SGSN）によって実行されてもよい。
【００９５】
コアネットワーク７はまた、UDM／UDR１０（および／またはHSS／HLR、適宜）と、一つまたは複数のゲートウェイ１１と、一つまたは複数のアプリケーション機能（AF）１２などを含む。図８には示さないが、コアネットワーク７は、ネットワーク公開機能（NEF）、サービス機能公開機能（SCEF）などのさらなるノードを含んでもよい。
【００９６】
モバイルデバイス３および各々のサービング基地局５は、適切なエアインタフェース（たとえば、いわゆる「Uu」インタフェースなど）を介して接続される。隣接する基地局５は、直接または適切な（ホーム）基地局ゲートウェイにより、適切な基地局間インタフェース（いわゆる「X2」インタフェース、「Xn」インタフェースなど）を介して互いに接続される。各基地局５はまた、適切なインタフェース（いわゆる「S1」、「N2」／「N3」インタフェースなど）を介してコアネットワークノード９／１０／１１／１２／１３に接続される。コアネットワーク７から、外部IPネットワーク２０（インターネットなど）への接続も提供される。
【００９７】
ユーザ端末（UE）
【００９８】
図９は、UE３（モバイルデバイス３）の主要な構成要素を表すブロック図である。図示のように、UE３は、一つまたは複数のアンテナ３２を介して、接続されたノードとの間で信号を送受信するよう動作可能な、トランシーバ回路３１を含む。必ずしも図９に示さないが、当然ながら、UE３は従来のモバイルデバイスの通常の機能（ユーザインタフェース３５など）をすべて有し、これは、ハードウェア、ソフトウェア、およびファームウェアのいずれか一つまたは任意の組み合わせによって、適宜提供可能である。ソフトウェアは、たとえば、メモリ３４に事前にインストールすることが可能であり、ならびに／あるいは、通信ネットワークを介してまたはリムーバブルデータストレージデバイス（RMD）からダウンロードすることも可能である。コントローラ３３は、メモリ３４に記憶されたソフトウェアに従ってUE３の動作を制御する。ソフトウェアは、とりわけ、オペレーティングシステム３４１と、少なくともトランシーバ制御モジュール３４２１を有する通信制御モジュール３４２とを含む。通信制御モジュール３４２（自身のトランシーバ制御モジュール３４２１を使用）は、UE３と基地局５やコアネットワークノード９／１０／１１／１２／１３といった他のノードとの間のシグナリングおよびアップリンク／ダウンリンクデータパケットを処理（生成／送信／受信）する役割を担う。このようなシグナリングには、たとえば、（UE３向けの）EDT制限／認可制御に関連する適切にフォーマットされたシグナリングメッセージ（たとえば、登録要求および関連する応答）、特に、登録要求、接続要求、またはTAU／RAU要求メッセージ（任意の他のNASメッセージ）、ならびに／あるいはランダムアクセス手続きに関連するシグナリングメッセージを含むことが可能である。
【００９９】
RANノード
【０１００】
図１０は、RANノード５（RNCまたは基地局、たとえばeNB／gNB）の主要な構成要素を表すブロック図である。図示のように、RANノード５は、一つまたは複数のアンテナ５２を介してUE３との間で信号の送受信を行うよう動作可能であって、かつネットワークインタフェース５５（たとえばS1／N2／N3）を介してコアネットワークノード９／１０／１１／１２／１３との間で信号の送受信を行うよう動作可能な、トランシーバ回路５１を含む。トランシーバ回路５１は、ネットワークインタフェース５５を介して（たとえば、X2またはXnインタフェースを介して）他の基地局との間で信号の送受信を行うよう動作可能であってもよい。コントローラ５３は、メモリ５４に記憶されたソフトウェアに従ってRANノード５の動作を制御する。ソフトウェアは、たとえば、メモリ５４に事前にインストールすることが可能であり、ならびに／あるいは、通信ネットワークを介してまたはリムーバブルデータストレージデバイス（RMD）からダウンロードすることも可能である。ソフトウェアは、とりわけ、オペレーティングシステム５４１と、少なくともトランシーバ制御モジュール５４２１を有する通信制御モジュール５４２とを含む。通信制御モジュール５４２（自身のトランシーバ制御モジュール５４２１を使用）は、RANノード５と、UE３やコアネットワークノード９／１０／１１／１２／１３（および適宜他のRANノード／基地局５）といった他のノードとの間のシグナリングを処理（生成／送信／受信）する役割を担う。このようなシグナリングには、たとえば、EDT制限／認可制御に関連する適切にフォーマットされたシグナリングメッセージを含むことが可能である。
【０１０１】
コアネットワークノード
【０１０２】
図１１は、例示的なコアネットワークノード９／１０／１１／１２／１３の主要な構成要素を表すブロック図である。図示のように、コアネットワークノード９／１０／１１／１２／１３は、ネットワークインタフェース９４／１０４／１１４／１２４／１３４を介して（直接的に、または間接的に）他のネットワークノードとの間で信号の送受信を行うよう動作可能な、トランシーバ回路９１／１０１／１１１／１２１／１３１を含む。コントローラ９２／１０２／１１２／１２２／１３２は、メモリ９３／１０３／１１３／１２３／１３３に記憶されたソフトウェアに従ってコアネットワークノード９／１０／１１／１２／１３の動作を制御する。ソフトウェアは、たとえば、メモリ９３／１０３／１１３／１２３／１３３に事前にインストールすることが可能であり、ならびに／あるいは、通信ネットワークを介してまたはリムーバブルデータストレージデバイス（RMD）からダウンロードすることも可能である。ソフトウェアは、とりわけ、オペレーティングシステム９３１／１０３１／１１３１／１２３１／１３３１と、少なくともトランシーバ制御モジュール９３２１／１０３２１／１１３２１／１２３２１／１３３２１を有する通信制御モジュール９３２／１０３２／１１３２／１２３２／１３３２とを含む。通信制御モジュール９３２／１０３２／１１３２／１２３２／１３３２（自身のトランシーバ制御モジュール９３２１／１０３２１／１１３２１／１２３２１／１３３２１を使用）は（直接的に、または間接的に）、コアネットワークノード９／１０／１１／１２／１３と、UE３や他のコアネットワークノード９／１０／１１／１２／１３やRANノード５といった他のノードとの間のシグナリングを処理（生成／送信／受信）する役割を担う。シグナリングには、たとえば、EDT制限／認可制御に関連する適切にフォーマットされたシグナリングメッセージを含むことが可能である。コアネットワークノード９／１０／１１／１２／１３は、UDM／UDR、HSS、またはHLRの機能を提供する場合、EDT制限パラメータ（あるいは、EDT認可パラメータ、あるいはEDT禁止パラメータ、あるいはUEが使用するEDTの認可または制限を目的としたパラメータの任意の他の名称）と本明細書中で呼ぶ新たなサブスクリプションパラメータを記憶するよう構成される。
【０１０３】
変形例と代替案
【０１０４】
詳細な態様を上記のとおり説明した。当業者には理解されるように、本明細書中で具現化される開示から恩恵を受ける一方で、上記の態様に対しては数多くの変形例および代替案を作成することができる。説明のために、これらの代替案および変形例のいくつかだけをこれから説明する。
【０１０５】
上記の説明では、理解を容易にするために、UE、RANノード、およびコアネットワークノードは、いくつかの個別モジュール（通信制御モジュールなど）を有するものとして説明されている。これらのモジュールは、たとえば既存のシステムが本開示を実施するよう変更されたような特定の用途や、たとえばシステムが発明の特徴を最初から考慮して設計されたような他の用途に、このように提供され得るが、これらのモジュールは、オペレーティングシステムまたはコード全体に組み込まれているため、個別のエンティティとして認識されない場合がある。これらのモジュールはまた、ソフトウェア、ハードウェア、ファームウェア、またはこれらの組み合わせに実装してもよい。
【０１０６】
各コントローラは、たとえば、下記を含む（が、これらに限定されない）任意の適切な形式の処理回路を含むことが可能である。すなわち、一つまたは複数のハードウェア実装のコンピュータプロセッサ、マイクロプロセッサ、中央演算処理装置（CPU）、演算論理装置（ALU）、入出力（IO）回路、内部メモリ／キャッシュ（プログラムおよび／またはデータ）、処理レジスタ、通信バス（たとえば、制御、データ、および／またはアドレスバス）、ダイレクトメモリアクセス（DMA）機能、ハードウェアまたはソフトウェア実装のカウンタ、ポインタ、および／またはタイマーなど。
【０１０７】
上記の態様ではいくつかのソフトウェアモジュールを説明した。当業者には理解されるように、ソフトウェアモジュールは、コンパイルされた形式またはコンパイルされていない形式で提供されてもよいし、コンピュータネットワークを介してまたは記録媒体上で、信号としてUE、RANノード、およびコアネットワークノードに供給されてもよい。また、このソフトウェアの一部または全部によって実行される機能は、一つまたは複数の専用ハードウェア回路を使用して実行されてもよい。なお、ソフトウェアモジュールの使用は、それらの機能を更新するためにUE、RANノード、およびコアネットワークノードの更新を容易にするので好ましい。
【０１０８】
上記の態様では、3GPP無線通信（無線アクセス）技術が使用される。しかしながら、他の無線通信技術（たとえば、WLAN、Wi-Fi、WiMAX、ブルートゥースなど）も上記の態様に従って使用可能である。
【０１０９】
ユーザ端末という項目には、たとえば、携帯電話、スマートフォン、ユーザ機器、携帯情報端末、ラップトップ／タブレットコンピュータ、ウェブブラウザ、電子書籍リーダなどの通信デバイスが含まれる。このようなモバイル（または、通常は静止していても）デバイスは通常ユーザによって操作されるが、いわゆる「モノのインターネット」（IoT）デバイスおよび同様のマシンタイプ通信（MTC）デバイスをネットワークに接続することもできる。簡略化のために、本出願は明細書においてモバイルデバイス（またはUE）に言及しているが、このような通信デバイスが人間による入力またはメモリに記憶されたソフトウェア命令のどちらによって制御されるかに関係なく、データの送受信のために通信ネットワークに接続可能な任意の通信デバイス（モバイルおよび／または通常は静止した）に対して記載した技術を実装可能であることが理解されるだろう。
【０１１０】
様々な他の変更は当業者にとって明らかであり、ここではこれ以上詳細に説明しない。
【０１１１】
略語および用語
下記の略語および用語は、本明細書において使用されている。
3GPP  3rd Generation Partnership Project  第３世代パートナーシッププロジェクト
5G-AN  5G Access Network  5Gアクセスネットワーク
5G-RAN  5G Radio Access Network  5G無線アクセスネットワーク
5GS  5G System  5Gシステム
AF  Application Function  アプリケーション機能
AMF  Access and Mobility Management Function  アクセスモビリティ管理機能
AS  Access Stratum  アクセス層
AUSF  Authentication and Security Function  認証およびセキュリティ機能
CIoT  Cellular Internet of Things  セルラーを使ったモノのインターネット
CP  Control Plane  制御プレーン
DL  Down Link  ダウンリンク
DNN  Data Network Name  データネットワーク名
EDT  Early Data Transmission  早期データ送信
EPS  Evolved Packet System  改良型パケットシステム
HARQ  Hybrid Automatic Repeat Request  ハイブリッド自動再送要求
HLR  Home Location Register  ホームロケーションレジスタ
HSS  Home Subscriber Server  ホームサブスクライバサーバ
eMTC  enhanced Machine Type Communication  改良型マシンタイプコミュニケーション
eNB  enhanced NodeB  改良型ノードB
gNB  next Generation NodeB  次世代ノードB
MAC  Medium Access Control  媒体アクセス制御
ME  Mobile Equipment  モバイル機器
MME  Mobility management Entity  移動管理エンティティ
NB-IoT  Narrow Band Internet of Things  狭帯域を使ったモノのインターネット
NAS  Non Access Stratum  非アクセス層
NF  Network Function  ネットワーク機能
NEF  Network Exposure Function  ネットワーク公開機能
NR  New Radio  新無線
O&M  Operation and Maintenance  運用および保守
PCF  Policy Control Function  ポリシー制御機能
SCEF  Service Capability Exposure Function  サービス機能公開機能
SGSN  Serving GPRS Support Node  サービングGPRSサポートノード
PRACH  Physical Random Access Channel  物理ランダムアクセスチャネル
(R)AN  Radio Access Network  無線アクセスネットワーク
RAR  Random Access Response  ランダムアクセス応答
RAU  Routing Area Update  ルーティングエリア更新
RNC  Radio Network Controller  無線ネットワークコントローラ
RRC  Radio Resource Control  無線リソースコントロール
SIB  System Information Module  システム情報モジュール
SIM  Subscriber Interface Module  サブスクライバインタフェースモジュール
TAU  Tracking Area Update  トラッキングエリア更新
UDM  Unified Data Management  統合データ管理
UDR  Unified Data Repository  統合データリポジトリ
UE  User Equipment  ユーザ端末
UL  Up Link  アップリンク
【０１１２】
付記
（付記１）
ユーザ端末であって、
当該ユーザ端末がUplink Synchronization Channel（UL-SCH）で送信されるメッセージでのユーザデータの送信を制限されているか認可されているかを示すパラメータを、アクセスネットワークノードから受信する手段と、
前記パラメータに基づいて、前記メッセージでの前記ユーザデータの前記送信が制限されているか、または、認可されているかを判断する手段と、
を備えるユーザ端末。
（付記２）
前記メッセージでの前記ユーザデータの前記送信の能力の情報を、前記アクセスネットワークノードを介してコアネットワークノードへ送信する手段をさらに備え、
前記受信する手段はさらに、前記メッセージでの前記ユーザデータの前記送信の前記能力の前記情報を送信した後で前記パラメータを受信する、付記１に記載のユーザ端末。
（付記３）
前記メッセージでの前記ユーザデータの前記送信を制限または認可することをサポートする能力の情報を、前記アクセスネットワークノードを介してコアネットワークノードへ送信する手段をさらに備え、
前記受信する手段はさらに、前記メッセージでの前記ユーザデータの前記送信を制限または認可することをサポートする前記能力の前記情報に基づいて前記パラメータを受信する、付記１に記載のユーザ端末。
（付記４）
前記ユーザ端末が前記メッセージでの前記ユーザデータの前記送信を制限されているかまたは認可されているかを示す前記パラメータは、前記コアネットワークノードによって更新されるユーザ端末コンテキストに基づいている、付記３に記載のユーザ端末。
（付記５）
前記ユーザ端末が前記メッセージでの前記ユーザデータの前記送信を制限されているかまたは認可されているかを示す前記パラメータは、ユーザ端末コンテキストが確立されるたびに示す、付記１乃至３のいずれか一項に記載のユーザ端末。
（付記６）
前記ユーザ端末が前記メッセージでの前記ユーザデータの前記送信を制限されているかまたは認可されているかを示す前記パラメータは、前記アクセスネットワークノードからブロードキャストされ、
前記受信する手段はさらに、前記メッセージでの前記ユーザデータの前記送信用の許可されたパケットサイズの情報を受信し、
前記判断する手段はさらに、前記メッセージでの前記ユーザデータの前記送信用の前記許可されたパケットサイズの前記情報に基づいて、前記ユーザ端末が前記ユーザデータを送信するかどうかを判断する、付記１に記載のユーザ端末。
（付記７）
前記ユーザ端末が前記メッセージでの前記ユーザデータの前記送信を制限されているかまたは認可されているかを示す前記パラメータは、前記アクセスネットワークノードからブロードキャストされ、
前記ユーザ端末が前記メッセージでの前記ユーザデータの前記送信を制限されているかまたは認可されているかを示す前記パラメータは、前記送信が禁止されていることを示す、付記１に記載のユーザ端末。
（付記８）
前記受信する手段はさらに、前記ユーザ端末が前記メッセージでの前記ユーザデータの前記送信を制限されているかまたは認可されているかを示す前記パラメータと、前記ユーザデータの前記送信用のバックオフタイマの値とを受信し、
前記判断する手段はさらに、前記ユーザ端末が前記バックオフタイマの前記値に基づいて前記メッセージで前記ユーザデータを送信するかどうかを判断する、付記１乃至７のいずれか一項に記載のユーザ端末。
（付記９）
前記ユーザ端末が他のRadio Access Technology（RAT）に移動するまで、または前記メッセージでの前記ユーザデータの前記送信の制限が前記コアネットワークノードによって解除されるまで、前記メッセージでの前記ユーザデータの前記送信を試行しない手段をさらに備える、付記８に記載のユーザ端末。
（付記１０）
前記受信する手段はさらに、前記コアネットワークノードから「Early Data Transmission（EDT）は一時的に利用不可」という値を受信し、
前記ユーザ端末は、当該ユーザ端末のCellular Internet of Things（CIoT）制御プレーン用のバックオフタイマが満了するまで、前記メッセージでの前記ユーザデータの前記送信を試行しない手段をさらに備える、付記１乃至７のいずれか一項に記載のユーザ端末。
（付記１１）
コアネットワークノードであって、
ユーザ端末がUplink Synchronization Channel（UL-SCH）で送信されるメッセージでのユーザデータの送信を制限されているかまたは認可されているかを判断する手段を備えるコアネットワークノード。
（付記１２）
前記ユーザ端末が前記メッセージでの前記ユーザデータの前記送信を制限されているかまたは認可されているかを示すパラメータを、アクセスネットワークノードを介して当該ユーザ端末へ送信する手段をさらに備える、付記１１に記載のコアネットワークノード。
（付記１３）
前記メッセージでの前記ユーザデータの前記送信の能力の情報を、前記アクセスネットワークノードを介して前記ユーザ端末から受信する手段をさらに備え、
前記送信する手段はさらに、前記メッセージでの前記ユーザデータの前記送信の前記能力の前記情報に基づいて前記パラメータを送信する、付記１２に記載のコアネットワークノード。
（付記１４）
前記メッセージでの前記ユーザデータの前記送信を制限または認可することをサポートする能力の情報を、前記アクセスネットワークノードを介して前記ユーザ端末から受信する手段をさらに備え、
前記送信する手段はさらに、前記メッセージでの前記ユーザデータの前記送信を制限または認可することをサポートする前記能力の前記情報に基づいて前記パラメータを送信する、付記１２に記載のコアネットワークノード。
（付記１５）
前記送信する手段はさらに、前記ユーザ端末に対応するサブスクリプション情報の要求を、サブスクリプションデータ用のサーバへ送信し、
前記受信する手段はさらに、前記ユーザ端末が前記メッセージでの前記ユーザデータの前記送信を制限されているかまたは認可されているかを示す前記パラメータを受信する、
付記１４に記載のコアネットワークノード。
（付記１６）
前記受信する手段はさらに、サブスクリプションデータ用のサーバからInsert Subscriber Data Requestを受信し、
前記コアネットワークノードは、前記ユーザ端末が前記メッセージでの前記ユーザデータの前記送信を制限されているかまたは認可されているかを示す前記パラメータを更新する手段をさらに備え、
前記送信する手段はさらに、前記更新されたパラメータを前記ユーザ端末へ送信する、付記１２乃至１５のいずれか一項に記載のコアネットワークノード。
（付記１７）
ユーザプレーンデータのネットワークノードから、前記メッセージでの前記ユーザデータの前記送信の要求とともにDownlink Data Indication（DDI）を受信する手段と、
前記ユーザ端末が前記メッセージでの前記ユーザデータの前記送信を制限されているかまたは認可されているかを判断した結果に基づいて、前記メッセージでの前記ユーザデータの前記送信のためのページング要求を当該ユーザ端末へ送信する手段と、
をさらに備える、付記１１に記載のコアネットワークノード。
（付記１８）
前記ユーザ端末が前記メッセージでの前記ユーザデータの前記送信を制限されているかまたは認可されているかを示す前記パラメータは、前記送信が禁止されていることを示し、
前記送信する手段はさらに、前記送信が禁止されていることを示す前記パラメータを含む設定コマンドを前記アクセスネットワークノードへ送信し、
前記アクセスネットワークノードはさらに、前記送信が禁止されていることを示す前記パラメータを、少なくとも前記ユーザ端末へブロードキャストするよう構成されている、
付記１２乃至１６のいずれか一項に記載のコアネットワークノード。
（付記１９）
アクセスネットワークノードであって、
ユーザ端末がUplink Synchronization Channel（UL-SCH）で送信されるメッセージでのユーザデータの当該ユーザ端末への送信を制限されているかまたは認可されているかを示すパラメータと、
前記メッセージでの前記ユーザデータの前記送信用の許可されたパケットサイズの情報と、
を送信する手段を備えるアクセスネットワークノード。
（付記２０）
ユーザ端末における方法であって、
当該ユーザ端末がUplink Synchronization Channel（UL-SCH）で送信されるメッセージでのユーザデータの送信を制限されているかまたは認可されているかを示すパラメータを、アクセスネットワークノードから受信し、
前記パラメータに基づいて、前記メッセージでの前記ユーザデータの前記送信が制限されているかまたは認可されているかを判断する命令を処理する、
ことを含む方法。
（付記２１）
前記メッセージでの前記ユーザデータの前記送信の能力の情報を、前記アクセスネットワークノードを介してコアネットワークノードへ送信し、
前記メッセージでの前記ユーザデータの前記送信の前記能力の前記情報を送信した後で、前記パラメータを受信する、
ことをさらに含む、付記２０に記載の方法。
（付記２２）
前記メッセージでの前記ユーザデータの前記送信を制限または認可することをサポートする能力の情報を、前記アクセスネットワークノードを介してコアネットワークノードへ送信し、
前記メッセージでの前記ユーザデータの前記送信を制限または認可することをサポートする前記能力の前記情報に基づいて、前記パラメータを受信する、
ことをさらに含む、付記２０に記載の方法。
（付記２３）
前記ユーザ端末が前記メッセージでの前記ユーザデータの前記送信を制限されているかまたは認可されているかを示す前記パラメータは、前記コアネットワークノードによって更新されるユーザ端末コンテキストに基いている、付記２２に記載の方法。
（付記２４）
前記ユーザ端末が前記メッセージでの前記ユーザデータの前記送信を制限されているかまたは認可されているかを示す前記パラメータは、ユーザ端末コンテキストが確立されるたびに示す、付記２０乃至２３のいずれか一項に記載の方法。
（付記２５）
前記ユーザ端末が前記メッセージでの前記ユーザデータの前記送信を制限されているかまたは認可されているかを示す前記パラメータは、前記アクセスネットワークノードからブロードキャストされ、
前記方法は、
前記メッセージでの前記ユーザデータの前記送信用の許可されたパケットサイズの情報を受信し、
前記メッセージでの前記ユーザデータの前記送信用の前記許可されたパケットサイズの前記情報に基づいて、前記ユーザ端末が前記ユーザデータを送信するかどうかを判断する、
ことをさらに含む、付記２０に記載の方法。
（付記２６）
前記ユーザ端末が前記メッセージでの前記ユーザデータの前記送信を制限されているかまたは認可されているかを示す前記パラメータは、前記アクセスネットワークノードからブロードキャストされ、
前記ユーザ端末が前記メッセージでの前記ユーザデータの前記送信を制限されているかまたは認可されているかを示す前記パラメータは、前記送信が禁止されていることを示す、付記２０に記載の方法。
（付記２７）
前記ユーザ端末が前記メッセージでの前記ユーザデータの前記送信を制限されているかまたは認可されているかを示す前記パラメータと、前記ユーザデータの前記送信用のバックオフタイマの値とを受信し、
前記ユーザ端末が前記バックオフタイマの前記値に基づいて前記メッセージにて前記ユーザデータを送信するかどうかを判断する命令を処理する、
ことをさらに含む付記２０乃至２６のいずれか一項に記載の方法。
（付記２８）
前記ユーザ端末が他のRadio Access Technology（RAT）に移動するまで、または前記メッセージでの前記ユーザデータの前記送信の制限が前記コアネットワークノードによって解除されるまで、前記メッセージでの前記ユーザデータの前記送信を試行しないことをさらに含む、付記２７に記載の方法。
（付記２９）
前記コアネットワークノードから「Early Data Transmission（EDT）は一時的に利用不可」という値を受信し、
前記ユーザ端末のCellular Internet of Things（CIoT）制御プレーン用のバックオフタイマが満了するまで、前記メッセージでの前記ユーザデータの前記送信を試行しない、
ことをさらに含む、付記２０乃至２６のいずれか一項に記載の方法。
（付記３０）
コアネットワークノードにおける方法であって、
命令を記憶し、
ユーザ端末がUplink Synchronization Channel（UL-SCH）で送信されるメッセージでのユーザデータの送信を制限されているかまたは認可されているかを判断する命令を処理する、
ことを含む方法。
（付記３１）
前記ユーザ端末が前記メッセージでの前記ユーザデータの前記送信を制限されているかまたは認可されているかを示すパラメータを、アクセスネットワークノードを介して当該ユーザ端末へ送信することをさらに含む、付記３０に記載の方法。
（付記３２）
前記メッセージでの前記ユーザデータの前記送信の能力の情報を、前記アクセスネットワークノードを介して前記ユーザ端末から受信し、
前記メッセージでの前記ユーザデータの前記送信の前記能力の前記情報に基づいて、前記パラメータを送信する、
ことをさらに含む、付記３１に記載の方法。
（付記３３）
前記メッセージでの前記ユーザデータの前記送信を制限または認可することをサポートする能力の情報を、前記アクセスネットワークノードを介して前記ユーザ端末から受信し、
前記メッセージでの前記ユーザデータの前記送信を制限または認可することをサポートする前記能力の前記情報に基づいて前記パラメータを送信する、
ことをさらに含む、付記３１に記載の方法。
（付記３４）
前記ユーザ端末に対応するサブスクリプション情報の要求を、サブスクリプションデータ用のサーバへ送信し、
前記ユーザ端末が前記メッセージでの前記ユーザデータの前記送信を制限されているかまたは認可されているかを示す前記パラメータを受信する、
ことをさらに含む、付記３３に記載の方法。
（付記３５）
サブスクリプションデータ用のサーバからInsert Subscriber Data Requestを受信し、
前記ユーザ端末が前記メッセージでの前記ユーザデータの前記送信を制限されているかまたは認可されているかを示す前記パラメータを更新する命令を処理し、
前記更新されたパラメータを前記ユーザ端末へ送信する、
ことをさらに含む、付記３１乃至３４のいずれか一項に記載の方法。
（付記３６）
ユーザプレーンデータ用のネットワークノードから、前記メッセージでの前記ユーザデータの前記送信の要求とともにDownlink Data Indication（DDI）を受信し、
前記ユーザ端末が前記メッセージでの前記ユーザデータの前記送信を制限されているかまたは認可されているかを判断した結果に基づいて、前記メッセージでの前記ユーザデータの前記送信のためのページング要求を当該ユーザ端末へ送信する、
ことをさらに含む、付記３０に記載の方法。
（付記３７）
前記ユーザ端末が前記メッセージでの前記ユーザデータの前記送信を制限されているかまたは認可されているかを示す前記パラメータは、前記送信が禁止されていることを示し、
前記方法は、
前記送信が禁止されていることを示す前記パラメータを含む設定コマンドを前記アクセスネットワークノードへ送信し、
前記送信が禁止されていることを示す前記パラメータを、少なくとも前記ユーザ端末へブロードキャストする、
ことをさらに含む、付記３１乃至３５のいずれか一項に記載の方法。
（付記３８）
アクセスネットワークノードにおける方法であって、
ユーザ端末がUplink Synchronization Channel（UL-SCH）で送信されるメッセージでのユーザデータの当該ユーザ端末への送信を制限されているかまたは認可されているかを示すパラメータを送信し、
前記メッセージでの前記ユーザデータの前記送信用の許可されたパケットサイズの情報を送信する、
ことを含む方法。
（付記３９）
システムであって、
付記１乃至１０のいずれか一項に記載のユーザ端末と、
付記１９に記載のアクセスネットワークノードと、
を備えるシステム。
【０１１３】
本出願は、２０１７年１１月１７日に特許出願された欧州特許出願第17202452.3号に基づく優先権主張の利益を享受するものであり、当該特許出願に記載された内容は、全て本明細書に含まれるものとする。
【符号の説明】
【０１１４】
１  通信システム
３  UE
３１  トランシーバ回路
３２  アンテナ
３３  コントローラ
３４  メモリ
３４１  オペレーティングシステム
３４２  通信制御モジュール
３４２１  トランシーバ制御モジュール
３５  ユーザインタフェース
５  eNB、RANノード
５１  トランシーバ回路
５２  アンテナ
５３  コントローラ
５４  メモリ
５４１  オペレーティングシステム
５４２  通信制御モジュール
５４２１  トランシーバ制御モジュール
５５  ネットワークインタフェース
７  コアネットワーク
９  AMF／MME／SGSN
１０  UDM／UDRまたはHSS／HLR
１１  SGW／PGW（GW）
１２  SCS／AS
１３  NEF／SCEF
９１／１０１／１１１／１２１／１３１  トランシーバ回路
９２／１０２／１１２／１２２／１３２  コントローラ
９３／１０３／１１３／１２３／１３３  メモリ
９３１／１０３１／１１３１／１２３１／１３３１  オペレーティングシステム
９３２／１０３２／１１３２／１２３２／１３３２  通信制御モジュール
９３２１／１０３２１／１１３２１／１２３２１／１３３２１  トランシーバ制御モジュール
９４／１０４／１１４／１２４／１３４  ネットワークインタフェース
２０  外部IPネットワーク
【図１】
2021503779.tif 000003
【図２】
2021503779.tif 000004
【図３】
2021503779.tif 000005
【図４】
2021503779.tif 000006
【図５】
2021503779.tif 000007
【図６】
2021503779.tif 000008
【図７】
2021503779.tif 000009
【図８】
2021503779.tif 000010
【図９】
2021503779.tif 000011
【図１０】
2021503779.tif 000012
【図１１】
2021503779.tif 000013
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
ユーザ端末であって、
当該ユーザ端末がメッセージ3でのユーザデータの送信が許可されているか否かを示す第1の情報、及び、前記メッセージ3での前記ユーザデータの送信の許可されているパケットサイズの第2の情報を、アクセスネットワークから受信する受信手段と、
前記第1の情報が前記メッセージ3での前記ユーザデータの前記送信が許可されていることを示しており、前記許可されているパケットサイズよりも前記ユーザデータのパケットサイズが小さい場合に、前記ユーザデータを前記メッセージ3にて前記アクセスネットワークノードへ送信する送信手段と、
を備えるユーザ端末。
【請求項２】
前記第1の情報は前記アクセスネットワークノードからブロードキャストされる、請求項1に記載のユーザ端末。
【請求項３】
前記送信手段は、前記ユーザデータのパケットサイズが前記許可されたパケットサイズよりも大きい場合に前記メッセージ3での前記ユーザデータの前記送信を取り消し、
前記送信手段は、前記ユーザデータを、メッセージ5を用いて、又は、ユーザプレーンを介したデータ送信を用いて送信する、請求項1または2に記載のユーザ端末。
【請求項４】
前記第1の情報は前記ユーザ端末が制御プレーンに関する通信が許可されていることを示す、1ないし3のいずれか1項に記載のユーザ端末。
【請求項５】
前記第1の情報は前記ユーザ端末がユーザプレーンに関する通信が許可されていることを示す、1ないし3のいずれか1項に記載のユーザ端末。
【請求項６】
アクセスネットワークノードであって、
ユーザ端末がメッセージ3でのユーザデータの送信が許可されているか否かを示す第1の情報、及び、前記メッセージ3での前記ユーザデータの送信の許可されているパケットサイズの第2の情報を、当該ユーザ端末へ送信する送信手段と、
前記第1の情報が前記メッセージ3での前記ユーザデータの前記送信が許可されていることを示しており、前記許可されているパケットサイズよりも前記ユーザデータのパケットサイズが小さい場合に、前記ユーザデータを前記メッセージ3にて前記ユーザ端末から受信する受信手段と、
を備えるアクセスネットワークノード。
【請求項７】
前記通信手段は前記第1の情報をブロードキャストする、請求項6に記載のアクセスネットワークノード。
【請求項８】
前記ユーザデータの前記パケットサイズが前記許可されたパケットサイズよりも大きい場合に前記メッセージ3での前記ユーザデータの前記送信が取り消され、
前記受信手段は、前記ユーザデータを、メッセージ5を用いて、又は、ユーザプレーンを介したデータ送信を用いて受信する、請求項6又は7に記載のアクセスネットワークノード。
【請求項９】
前記第1の情報は前記ユーザ端末が制御プレーンに関する通信が許可されていることを示す、6ないし8のいずれか1項に記載のアクセスネットワークノード。
【請求項１０】
前記第1の情報は前記ユーザ端末がユーザプレーンに関する通信が許可されていることを示す、6ないし8のいずれか1項に記載のアクセスネットワークノード。
【請求項１１】
ユーザ端末における制御方法であって、
当該ユーザ端末がメッセージ3でのユーザデータの送信が許可されているか否かを示す第1の情報、及び、前記メッセージ3での前記ユーザデータの送信の許可されているパケットサイズの第2の情報を、アクセスネットワークから受信し、
前記第1の情報が前記メッセージ3での前記ユーザデータの前記送信が許可されていることを示しており、前記許可されているパケットサイズよりも前記ユーザデータのパケットサイズが小さい場合に、前記ユーザデータを前記メッセージ3にて前記アクセスネットワークノードへ送信する、
ことを含む制御方法。
【請求項１２】
アクセスネットワークノードにおける制御方法であって、
ユーザ端末がメッセージ3でのユーザデータの送信が許可されているか否かを示す第1の情報、及び、前記メッセージ3での前記ユーザデータの送信の許可されているパケットサイズの第2の情報を、当該ユーザ端末へ送信し、
前記第1の情報が前記メッセージ3での前記ユーザデータの前記送信が許可されていることを示しており、前記許可されているパケットサイズよりも前記ユーザデータのパケットサイズが小さい場合に、前記ユーザデータを前記メッセージ3にて前記ユーザ端末から受信する、
ことを含む制御方法。
【請求項１３】
通信システムであって、
ユーザ端末と、
アクセスネットワークノードと、を備え、
前記アクセスネットワークノードは、ユーザ端末がメッセージ3でのユーザデータの送信が許可されているか否かを示す第1の情報、及び、前記メッセージ3での前記ユーザデータの送信の許可されているパケットサイズの第2の情報を、当該ユーザ端末へ送信し、
前記ユーザ端末は、前記第1の情報が前記メッセージ3での前記ユーザデータの前記送信が許可されていることを示しており、前記許可されているパケットサイズよりも前記ユーザデータのパケットサイズが小さい場合に、前記ユーザデータを前記メッセージ3にて前記アクセスネットワークノードへ送信する、
通信システム。
【国際調査報告】
2021503779.tif 000014
2021503779.tif 000015
2021503779.tif 000016
2021503779.tif 000017
2021503779.tif 000018